(57)【要約】    【構成】携帯端末１０は、太陽電池３６を含み、この太陽電池３６によってリチウムイオン電池３４を充電する。ＣＰＵ２０は、太陽電池３６が発電していることを検出し、さらに閉状態などの特定状態を検出すると、キー入力装置２２による操作を無効化するロック状態を設定する。    【効果】使用者が閉状態や待機状態などで太陽電池３６によってリチウムイオン電池３４を充電すると、携帯端末１０がロック状態に設定され、充電中のセキュリティ性が向上する。【選択図】図１
2010130055.tif 000002
【特許請求の範囲】
【請求項１】
太陽電池、
前記太陽電池による発電を検出する検出手段、
特定状態（開状態、待機状態）を検出する特定状態検出手段、および
前記検出手段によって前記太陽電池による発電が検出され、さらに前記特定状態検出手段によって特定状態が検出されたときに、ロック状態を設定するロック設定手段を備える、携帯端末。
【請求項２】
外部からの操作を受け付ける入力手段をさらに備え、
前記ロック状態では、前記入力手段による操作がロック状態となる、請求項１記載の携帯端末。
【請求項３】
前記特定状態は、閉状態である、請求項１または２記載の携帯端末。
【請求項４】
前記特定状態は、待機状態である、請求項１ないし３のいずれかに記載の携帯端末。
【請求項５】
前記入力手段によって操作可能な複数の機能をさらに備え、
前記ロック設定手段は、前記複数の機能のそれぞれをロック状態とするか否かを設定するロック設定変更手段を含む、請求項２ないし４のいずれかに記載の携帯端末。
【請求項６】
前記ロック状態を解除するロック解除手段をさらに備える、請求項１ないし５のいずれかに記載の携帯端末。
【請求項７】
太陽電池を備える携帯端末のプロセサを、
前記太陽電池による発電を検出する検出手段、
特定の状態（開状態、待機状態）を検出する特定状態検出手段、および
前記検出手段によって前記太陽電池による発電が検出され、さらに前記特定状態検出手段によって特定状態が検出されたときに、ロック状態を設定するロック設定手段として機能させる、携帯端末プログラム。
【発明の詳細な説明】
【技術分野】
【０００１】
この発明は、携帯端末に関し、特にたとえば二次電池を電源として利用する、携帯端末に関する。
【背景技術】
【０００２】
従来、二次電池を電源として利用する、携帯端末が知られており、この種の装置の一例が、特許文献１に開示されている。この背景技術は、太陽電池、充電制御部および二次電池などを備え、二次電池を電源として利用する携帯用電子機器である。この太陽電池は、太陽光の照射を受けて発電する。そして、充電制御部は、太陽電池を二次電池に接続することで、充電を開始する。
【０００３】
また、特許文献２に開示されている背景技術では、識別信号送信回路およびこの識別送信回路を駆動するための電池が内蔵される充電用クレイドルと、識別送信回路との通信が途絶する場合に使用が制限される携帯電話とが開示されている。そして、この携帯電話は、携帯電話が充電用クレイドルに装着されて充電されている状態または充電用クレイドルの近くに置かれた状態でなければ、使用が制限される。
【特許文献１】特開２００８−１６７５６２号公報［H02J 7/00, H02J 7/35, H01M 10/44, H04B 7/26, H04M 1/00］
【特許文献２】特開２００６−２６２１５１号公報［H04M 1/667, H04Q 7/38］
【発明の開示】
【発明が解決しようとする課題】
【０００４】
しかし、特許文献１の背景技術では、太陽電池を利用して充電を行う場合には、太陽光が照射されやすい窓際などに携帯用電子機器を置かねばならず、使用者は、充電中の携帯電子機器を常に監視できないことが多い。そのため、無断で第三者に操作されてしまうことで、充電中の携帯電子機器に記憶されている個人情報が漏えいすることがある。
【０００５】
また、特許文献２の背景技術では、充電中の携帯電話が使用者の手元にあることが想定されているため、特許文献１の背景技術のように、太陽電池を利用した充電が想定されていない。そのため、充電中の携帯電話は使用が制限されない。
【０００６】
それゆえに、この発明の主たる目的は、新規な、携帯端末およびこのような携帯端末のプロセサに適用される携帯端末プログラムを提供することである。
【０００７】
この発明の他の目的は、充電中のセキュリティ性を向上させることが可能な、携帯端末およびこのような携帯端末のプロセサに適用される携帯端末プログラムを提供することである。
【課題を解決するための手段】
【０００８】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【０００９】
第１の発明は、太陽電池、太陽電池による発電を検出する検出手段、特定状態を検出する特定状態検出手段、および検出手段によって太陽電池による発電が検出され、さらに特定状態検出手段によって特定状態が検出されたときに、ロック状態を設定するロック設定手段を備える、携帯端末である。
【００１０】
第１の発明では、太陽電池（３６）は、太陽光などの光が照射されると発電し、検出手段（２０，３２，Ｓ２１）によって、発電が検出される。また、特定状態検出手段（２０，３８，４０，Ｓ２３−Ｓ２９）は、携帯端末（１０）の開状態や待機状態などの特定状態を検出する。そして、ロック設定手段（２０，Ｓ３１，Ｓ６３）は、太陽電池による発電が検出され、さらに特定状態が検出されると、携帯端末に対する操作および携帯端末の機能を無効化するロック状態を設定する。
【００１１】
第１の発明によれば、特定状態で太陽電池によって充電されると、携帯端末がロック状態を設定するため、充電中のセキュリティ性を向上させることができる。
【００１２】
第２の発明は、第１の発明に従属し、外部からの操作を受け付ける入力手段をさらに備え、ロック状態では、入力手段による操作がロック状態となる。
【００１３】
第２の発明では、入力手段（２２）は、キー入力装置などであり、使用者の操作を受け付ける。そして、ロック状態では、キー入力装置に対するキー操作が無効化される。
【００１４】
第２の発明によれば、キー入力装置などの入力手段による操作を無効化することができるため、第三者によるキー操作を防ぐことができる。
【００１５】
第３の発明は、第１の発明または第２の発明に従属し、特定状態は、閉状態である
第３の発明では、使用者は、通常使用しないときに携帯端末を閉状態にする。
【００１６】
第４の発明は、第１の発明ないし第３の発明のいずれかに従属し、特定状態は、待機状態である。
【００１７】
第４の発明では、使用者は、通常使用を終了するときに携帯端末を待機状態にする。
【００１８】
第３の発明および第４の発明によれば、使用者は、通常使用しない閉状態または待機状態にして充電することで、ロック状態が自動的に設定されるようにできるため、利便性が向上する。
【００１９】
第５の発明は、第２の発明ないし第４の発明のいずれかに従属し、入力手段によって操作可能な複数の機能をさらに備え、ロック設定手段は、複数の機能のそれぞれをロック状態とするか否かを設定するロック設定変更手段を含む。
【００２０】
第５の発明では、携帯端末は、キー入力装置を操作することで実行可能な、ダイヤル発信機能、アドレス帳機能、メール機能、ネットワーク機能など複数の機能が備えられる。そして、ロック設定変更手段（２０，Ｓ５）は、ロック状態、つまり無効化される機能を個別に設定することができる。
【００２１】
第５の発明によれば、使用者はロック状態であっても任意の機能が実行できるため、ロック状態における携帯端末の操作性が向上する。
【００２２】
第６の発明は、第１の発明ないし第５の発明のいずれかに従属し、ロック状態を解除するロック解除手段をさらに備える。
【００２３】
第６の発明では、ロック解除手段（２０，Ｓ４７）は、使用者によって入力されたパスワードが正しい場合に、携帯端末に設定されたロック状態を解除する。
【００２４】
第６の発明によれば、使用者は、任意にロック状態を解除することができる。
【００２５】
第７の発明は、太陽電池（３６）を備える携帯端末のプロセサ（２０）を、太陽電池による発電を検出する検出手段（Ｓ２１）、特定の状態（開状態、待機状態）を検出する特定状態検出手段（Ｓ２３−Ｓ２９）、および検出手段によって太陽電池による発電が検出され、さらに特定状態検出手段によって特定状態が検出されたときに、ロック状態を設定するロック設定手段（Ｓ３１，Ｓ６３）として機能させる、携帯端末プログラムである。
【００２６】
第７の発明でも、第１の発明と同様に、特定状態で太陽電池によって充電されると、携帯端末がロック状態を設定するため、充電中のセキュリティ性を向上させることができる。
【発明の効果】
【００２７】
この発明によれば、使用者が特定状態で太陽電池によって充電すると、携帯端末がロック状態を設定されるため、充電中のセキュリティ性を向上させることができる。
【００２８】
この発明の上述の目的、その他の目的、特徴および利点は、図面を参照して行う以下の実施例の詳細な説明から一層明らかとなろう。
【発明を実施するための最良の形態】
【００２９】
＜第１実施例＞
図１を参照して、携帯端末１０は、二次電池であるリチウムイオン電池３４の電圧に基づく電源をシステム全体に供給する電源回路３２を含む。また、電源回路３２がリチウムイオン電池３４の電圧に基づく電源をシステム全体に供給している場合には、電源オン状態と言うことにする。同様に、電源回路３２がリチウムイオン電池３４の電圧に基づく電源をシステム全体に供給していない場合には、電源オフ状態と言うことにする。電源回路３２は、電源オフ状態で、入力手段であるキー入力装置２２によって電源オン操作がされると起動され、電源オフ状態で、キー入力装置２２による電源オフ操作がされると停止される。さらに、電源オフ状態であっても、電源回路３２は、リチウムイオン電池３４の充電に応答して起動され、リチウムイオン電池３４の充電が完了するのに応答して停止される。また、充電とは、端子Ｔａおよび端子Ｔｂが外部電源と接続され外部電源から電力の供給を受けるか、太陽電池３６が太陽光を照射されることで発電した電力の供給を受けることで、リチウムイオン電池３４が電気エネルギーを蓄えることを言う。なお、端子Ｔａは＋端子であり、端子Ｔｂは−端子である。また、太陽電池３６と電源回路３２とは、＋端子および−端子によって接続される。
【００３０】
キー入力装置２２によって発呼操作が行われると、ＣＰＵ２０（プロセサまたはコンピュータと呼ばれることもある。）は、ＣＤＭＡ方式に対応する無線通信回路１４を制御して発呼信号を出力する。出力された発呼信号は、アンテナ１２から送出され、基地局を含む移動通信網に送信される。そして、通話相手が応答操作を行うと、通話可能状態が確立される。また、通話相手の電話番号をキー入力装置２２によって入力する発呼操作をダイヤル発信と言う。
【００３１】
通話可能状態に移行した後にキー入力装置２２によって通話終了操作が行われると、ＣＰＵ２０は、無線通信回路１４を制御して、基地局を含む移動通信網に通話終了信号を送信する。通話終了信号の送信後、ＣＰＵ２０は、通話処理を終了する。また、先に通話相手から通話終了信号を受信した場合も、ＣＰＵ２０は、通話処理を終了する。さらに、通話相手によらず、移動通信網から通話終了信号を受信した場合も、ＣＰＵ２０は通話処理を終了する。
【００３２】
携帯端末１０の電源がオンの状態で通話相手からの発呼信号がアンテナ１２によって捉えられると、無線通信回路１４は、着信をＣＰＵ２０に通知する。ＣＰＵ２０は、着信通知に記述された発信元情報をＬＣＤドライバ２４に制御されるＬＣＤモニタ２６に表示させ、図示しない着信通知用のスピーカから着信音を出力する。また、キー入力装置２２によって応答操作が行われると、通話可能状態が確立される。
【００３３】
通話可能状態では、次のような処理が実行される。通話相手から送信された変調音声信号（高周波信号）は、アンテナ１２によって受信される。受信された変調音声信号は、無線通信回路１４によって復調処理および復号処理を施される。これによって得られた受話音声信号は、スピーカ１８から出力される。また、マイク１６によって取り込まれた送話音声信号は、無線通信回路１４によって符号化処理および変調処理を施される。これによって生成された変調音声信号は、上述と同様、アンテナ１２を利用して送信される。また、加速度センサ４２は、加速度のデータ（加速度データ）を出力し、ＣＰＵ２０は、携帯端末１０の動き（動作）を検出することができる。たとえば、携帯端末１０が机の上などに置かれて使用されていなければ、加速度センサ４２は加速度データを出力しない。また、携帯端末１０が使用者に持ち運ばれれば、加速度センサ４２は加速度データを出力する。したがって、ＣＰＵ２０は、加速度センサ４２によって、携帯端末１０が動いているか否かを判断することができる。
【００３４】
また、携帯端末１０には、通話相手の電話番号や名前を登録するアドレス帳機能、図示しないサーバとのデータ通信を利用するメール機能やネットワーク機能などの複数の機能を備える。
【００３５】
図２（Ａ）,（Ｂ）は、携帯端末１０の閉状態の外観を示す図解図であり、図３は、携帯端末１０の開状態の外観を示す図解図である。図２（Ａ），（Ｂ）を参照して、携帯端末１０は、各々が板状に形成されたケースＣ１およびケースＣ２を有する。ケースＣ１およびケースＣ２の厚みは略同じである。また、アンテナ１２は、ケースＣ１に内蔵されており、図２（Ａ）,（Ｂ）および図３では、図示されない。
【００３６】
太陽電池３６は、太陽光の照射を受けるためのパネル部分がケースＣ１の外側面に露出するように取り付けられる。端子Ｔａおよび端子Ｔｂのそれぞれは、ケースＣ２の長さ方向一方の側面に設けられる。
【００３７】
ヒンジ機構Ｈは、ケースＣ１の長さ方向他方の側面に形成される。また、ケースＣ２は、長さ方向他方の主面においてヒンジ機項Ｈと結合される。そして、ヒンジ機構Ｈは、ケースＣ１をケースＣ２の上に積層した状態で、ケースＣ１の短辺と平行な軸ＡＸを基準として可動させる。つまり、軸ＡＸを基準とした回転により、ケースＣ１とケースＣ２とを開閉させる。そして、太陽電池３６によって充電を行う場合には、閉状態でケースＣ１の外側面に太陽光が照射されるようにする。
【００３８】
図３を参照して、携帯端末１０の開状態では、図示しないマイク１６は、ケースＣ２に内蔵され、内蔵されたマイク１６に通じる開口ＯＰ１はケースＣ２の長さ方向一方の内側面に設けられる。同じく、図示しないスピーカ１８は、ケースＣ１に内蔵され、内蔵されたスピーカ１８に通じる開口ＯＰ２は、ケースＣ２の長さ方向一方の内側面に設けられる。
【００３９】
キー入力装置２２は、ケースＣ２の内側面に設けられる。このキー入力装置２２には、０〜９の数字キーおよび電源キーなどが含まれる。使用者は、０〜９の数字キーを操作することで電話番号を入力し、電源キーを長押しすることで携帯端末１０の電源をオン／オフする。また、電源キーが短押しされると、ＬＣＤモニタ２４に待機状態を示す画像が表示され、携帯端末１０は待機状態となる。
【００４０】
また、ＬＣＤモニタ２６は、モニタ画面がケースＣ１の内側面に露出するように取り付けられる。磁気センサ３８はケースＣ２に内蔵され、磁石４０は、図２（Ａ）,（Ｂ）の状態で、磁気センサ３８と最も近い状態になるようにケースＣ１に内蔵される。
【００４１】
よって、携帯端末１０の開状態および閉状態を検出する磁気センサ３８は、図３に示す状態では最小値である０を出力し、図２（Ａ）,（Ｂ）では最大値である２５５を出力する。つまり、図２（Ａ）,（Ｂ）に示す閉状態では、磁気センサ３８が最大値を出力し、図３に示す開状態では磁気センサ３８が最小値を出力する。
【００４２】
また、使用者は、開状態で複数の機能などを実行する操作（通常使用）を行い、通常症をしないときに、閉状態や待機状態にする。
【００４３】
ここで、ＣＰＵ２０は、太陽電池３６によって充電される場合に、携帯端末１０をロック状態に設定することができる。具体的には、太陽電池３６に対して太陽光が照射されて、リチウムイオン電池３４が電気エネルギーを蓄える状態で、さらに特定状態が検出されれば、キー入力装置２２によって検出された操作を無効化する、ロック状態となる。これによって、使用者は、携帯端末１０を窓際などに置いて、太陽電池３６による充電を行う場合に、第三者によるキー操作を防ぐことができる。そして、無断で使用されることを防ぐことができるため、携帯端末１０のセキュリティ性を向上させることができる。つまり、携帯端末１０記憶されている、アドレス帳データなどの個人情報が、第三者に流出するのを防ぐことができる。
【００４４】
また、第１実施例では、図２（Ａ），（Ｂ）に示すような閉状態、電源キーが短押しされた後の待機状態、キー入力装置２２による入力が第１所定時間（６０秒〜１２０秒）ない状態または第２所定時間（３０秒〜６０秒）の間、携帯端末１０が持ち運ばれない状態、つまり携帯端末１０の動きが第２所定時間ない状態が特定状態とする。
【００４５】
また、ロック状態では、キー入力装置２２によって検出された操作を無効化するだけでなく、ダイヤル発信を行うための操作を無効化したり、アドレス帳機能、メール機能、ネットワーク機能などの複数の機能のそれぞれを個別に無効化することもできる。
【００４６】
図４は、ロック状態で無効化する機能や操作を選択するためのＧＵＩ（Ｇｒａｐｈｉｃａｌ  Ｕｓｅｒ  Ｉｎｔｅｒｆａｃｅ）を示す図解図である。図４を参照して、ＧＵＩは、ＬＣＤモニタ２６に表示され、キー入力装置２２を利用して操作される。このＧＵＩで示される「キー操作」、「ダイヤル発信」、「アドレス帳」、「メール」および「ネットワーク」は、ロック状態で無効化される機能や操作を示す。「キー操作」は、キー入力装置２２に対するキー操作を無効化するための項目である。「ダイヤル発信」は、キー入力装置２２によって通話相手の電話番号を入力して行う発呼操作を無効化するための項目である。「アドレス帳」は、アドレス帳機能を無効化するための項目である。「メール」は、メール機能を無効化するための項目である。「ネットワーク」は、ネットワーク機能を無効化するための項目である。なお、本実施例では、「キー操作」、「ダイヤル発信」、「アドレス帳」、「メール」および「ネットワーク」の項目を総称して、ロック項目と言うことがある。
【００４７】
また、「キー操作」はチェックボックス５０ａ、「ダイヤル発信」はチェックボックス５０ｂ、「アドレス帳」はチェックボックス５０ｃ、「メール」はチェックボックス５０ｄ、「ネットワーク」はチェックボックス５０ｅに対応する。なお、チェックボックス５０ａ−５０ｅのそれぞれを区別する必要がない場合には、チェックボックス５０と言うことにする。
【００４８】
ここで、各チェックボックスにチェックを入れる操作が行われると、そのチェックボックスに対応する項目に基づいて、無効化される機能や操作が設定される。たとえば、チェックボックス５０ｂにチェックを入れる操作が行われると、ダイヤル発信を行うための操作が無効化されるように設定される。つまり、ロック状態になると、キー入力装置２２によって通話相手の電話番号を入力して行う発呼操作が無効化されるようになる。このように、使用者は、ロック状態であっても任意の機能が実行できるように設定することができる。つまり、ロック状態における携帯端末の操作性が向上する。
【００４９】
図５は、ＲＡＭ３０内に記憶されるロック設定データ３２０（図７参照）の内容を示す図解図である。つまり、図４に示したＧＵＩで設定した結果が、ロック設定データ３２０としてＲＡＭ３０内に記憶される。図５を参照して、ロック項目の列には、「キー操作」、「ダイヤル発信」、「アドレス帳」、「メール」および「ネットワーク」が記録される。そして、状態の列は、ロック項目の列に含まれるそれぞれの欄に対応して、チェックボックス５０がチェックされたか否かの結果が記憶される。つまり、図４で「ダイヤル発信」に対応するチェックボックス５０ｂにチェックがされると、図５では「ダイヤル発信」の欄に対応する欄に「○」が記録される。
【００５０】
図６（Ａ），（Ｂ）は、ロック状態を解除するためのパスワードを入力するＧＵＩを示す図解図である。図６（Ａ）を参照して、このＧＵＩには、入力状態表示領域５２が含まれる。また、パスワードは、０〜９の数字から構成される４桁の数字列である。そして、０〜９の数字は、キー入力装置２２に含まれる０〜９の数字キーによって入力される。
【００５１】
たとえば、使用者が「１」の数字キーを操作すると、入力状態表示領域５２に操作結果として「＊」が表示される。このように、本実施例では、数字キーを操作しても数字は表示されない。これは、パスワードを表示することで、そのパスワードが第三者に見られることを防ぐためである。ただし、数字キーの操作回数に応じて表示される「＊」の数が増えるため、使用者は、入力した桁数を認識できる。
【００５２】
なお、パスワードは、数字列でなく、アルファベットや記号から構成されてもよい。さらに、パスワードは、４桁以上の文字列であってもよい。
【００５３】
使用者によって、パスワードが入力されると、ＲＡＭ３０内に記憶されるパスワードデータ３２２（図７参照）と比較され、一致すればロック状態が解除される。一方、入力したパスワードが、パスワードデータ３２２と一致しなければ、図６（Ｂ）に示すＧＵＩが表示され、入力されたパスワードが間違っていることが、使用者に通知される。そして、間違ったパスワードを入力してから、一定時間（１秒から２秒）が経過すると、図６（Ｂ）に示すＧＵＩの表示が消える。このように、使用者は、携帯端末１０のロック状態を任意に解除することができる。
【００５４】
なお、図６（Ａ）に示すＧＵＩは、ロック状態で、０〜９の数字キーのいずれかが操作されると、ＬＣＤモニタ２６に表示されてもよいし、無効化された機能を実行する操作を行ったときに、ＬＣＤモニタ２６に表示されるようにしてもよい。
【００５５】
図７は、ＲＡＭ３０のメモリマップを示す図解図である。図７を参照して、ＲＡＭ３０のメモリマップ３００には、プログラム記憶領域３０２およびデータ記憶領域３０４が含まれる。プログラムおよびデータの一部は、フラッシュメモリ２８から一度にまたは必要に応じて部分的にかつ順次的に読み出され、ＲＡＭ３０に記憶され、そしてＣＰＵ２０などで処理される。
【００５６】
プログラム記憶領域３０２は、携帯端末１０を動作させるためのプログラムを記憶する。携帯端末１０を動作させるためのプログラムは、設定プログラム３１０、自動ロック設定プログラム３１２およびロック解除プログラム３１４などから構成される。設定プログラム３１０は、ロック状態で無効化する機能や操作を設定するためのプログラムである。自動ロック設定プログラム３１２は、ロック状態を設定するプログラムである。ロック解除プログラム３１４は、パスワードの入力によってロック状態を解除するか否かを判断するためのプログラムである。
【００５７】
なお、図示は省略するが、携帯端末１０を動作させるためのプログラムは、通話を行うためのプログラム、アドレス機能を実行するためのプログラム、メール機能を実行するためのプログラムおよびネットワーク機能を実行するためのプログラムなどを含む。
【００５８】
データ記憶領域３０４には、ロック設定データ３２０およびパスワードデータ３２２が記憶される。また、データ記憶領域３０４には、発電フラグ３２４、開状態フラグ３２６、待機状態フラグ３２８、ロックフラグ３３０、動作フラグ３３２、入力カウンタ３３４および動作カウンタ３３６が設けられる。
【００５９】
ロック設定データ３２０は、図５に示すロック項目の設定結果を記憶するためのデータである。パスワードデータ３３２は、ロック状態を解除するために必要なパスワードのデータであり、使用者によって任意に変更可能である。
【００６０】
発電フラグ３２４は、太陽電池３６が発電し、電力が供給されているか否かを判断するためのフラグである。たとえば、発電フラグ３２４は、１ビットのレジスタで構成される。発電フラグ３２４が成立（オン）されると、レジスタにはデータ値「１」が設定され、発電フラグ３２４が不成立（オフ）されると、レジスタにはデータ値「０」が設定される。なお、発電フラグ３２４は、太陽電池３６から供給される電力の値が閾値（１０ｍＷ）以下であれば、オンされないようにしてもよい。また、発電フラグ３２４以外のフラグも、発電フラグ３２４と同様に１ビットのレジスタで構成されるため、構成の詳細な説明は、簡単のために省略する。
【００６１】
開状態フラグ３２６は、携帯端末１０が開状態であるか否かを判断するためのフラグであり、磁気センサ３８から出力される値に応じてオン／オフを切り替える。つまり、開状態フラグ３２６は、磁気センサ３８から出力される値が、１２８以上であればオンとなり、１２８未満であればオフとなる。待機状態フラグ３２６は、携帯端末１０が待機状態であるか否かを判断するためのフラグである。たとえば、待機状態フラグ３２６は、電源キーが短押しされたりするとオンになる。
【００６２】
ロックフラグ３３０は、ロック状態であるか否かを判断するためのフラグであり、ロック状態となればオンとなる。たとえば、このロックフラグ３３０は、ロック解除処理を実行するか否かの判断を行うときに用いられる。動作フラグ３３２は、加速度センサ４２によって携帯端末１０の動きが検出されたか否かを判断するためのフラグであり、加速度センサ４２から加速度データが出力されるとオンとなる。
【００６３】
入力カウンタ３３４は、キー入力装置２２に対するキー操作がされなくなってからの時間をカウントするためのカウンタである。そして、この入力カウンタ３３４のカウント結果は、特定状態の一つである、キー入力装置２２による入力が第１所定時間（６０秒〜１２０秒）検出されない状態を判断するために用いられる。
【００６４】
動作カウンタ３３６は、動作フラグ３３２がオフになってからの時間をカウントするためのカウンタである。そして、この動作カウンタ３３６のカウント結果は、特定状態の一つである、携帯端末１０の動作が第２所定時間（３０秒〜６０秒）検出されない状態を判断するために用いられる。
【００６５】
なお、図示は省略するが、データ記憶領域３０４には、アドレス帳のデータなどが記憶されるとともに、携帯端末１０の動作に必要な他のカウンタやフラグも設けられる。
【００６６】
ＣＰＵ２０は、μＩＴＲＯＮ，ＳｙｍｂｉａｎまたはＬｉｎｕｘなどのリアルタイムＯＳの制御下で、図８に示す設定処理、図９に示す自動ロック設定処理、図１０に示すロック解除処理などを含む複数のタスクを並列的に実行する。
【００６７】
図８は、設定処理を示すフロー図である。図８を参照して、使用者によって図４に示すＧＵＩを表示する操作がされると、ＣＰＵ２０は、ステップＳ１で終了操作か否かを判断する。たとえば、ステップＳ１では、電源キーが短押しされたか否かを判断する。ステップＳ１で“ＹＥＳ”であれば、つまり終了操作がされると設定処理を終了する。一方、ステップＳ１で“ＮＯ”であれば、つまり終了操作がされなければ、ステップＳ３でロックの設定を変更か否かを判断する。つまり、チェックボックス５０のいずれかにチェックが入れられたか否かを判断する。ステップＳ３で“ＮＯ”であれば、つまりチェックボックス５０のいずれかにチェックが入れられなければ、ステップＳ１に戻る。一方、ステップＳ３で“ＹＥＳ”であれば、つまりチェックボックス５０のいずれかにチェックが入れられれば、ステップＳ５でロック設定データ３２０を変更（更新）して、ステップＳ１に戻る。たとえば、チェックボックス５０ｂにチェックを入れる操作がされれば、「ダイヤル発信」の欄（図５参照）に対応する欄に「○」が記録される。また、ステップＳ５の処理を実行するＣＰＵ２０は、ロック設定変更手段として機能する。
【００６８】
図９は、自動ロック設定処理を示すフロー図である。自動ロック設定処理が実行されると、ＣＰＵ２０は、ステップＳ２１で太陽電池３６から電力が供給されているか否かを判断する。つまり、発電フラグ３２４がオンであるか否かを判断する。また、ステップＳ２１の処理を実行するＣＰＵ２０は、検出手段として機能する。ステップＳ２１で“ＮＯ”であれば、つまり発電フラグ３２４がオフであれば、ステップＳ２１の判断を繰り返し実行する。一方、ステップＳ２１で“ＹＥＳ”であれば、つまり発電フラグ３２４がオンであれば、ステップＳ２３で閉状態であるか否かを判断する。つまり開状態フラグ３２６がオフであるか否かを判断する。ステップＳ２３で“ＹＥＳ”であれば、つまり閉状態であれば、ステップＳ３１に進む。一方、ステップＳ２３で“ＮＯ”であれば、つまり開状態であれば、ステップＳ２５で待機状態か否かを判断する。つまり、待機状態フラグ３２８がオンであるか否かを判断する。
【００６９】
ステップＳ２５で“ＹＥＳ”であれば、つまり待機状態フラグ３２８がオンであれば、ステップＳ３１に進む。一方、ステップＳ２５で“ＮＯ”であれば、つまり待機状態フラグ３２８がオフであれば、ステップＳ２７で入力が所定時間ないか否かを判断する。つまり、入力カウンタ３３４の値が、第１所定時間（６０秒〜１２０秒）以上であるか否かを判断する。ステップＳ２７で“ＹＥＳ”であれば、つまり入力カウンタ３３４の値が第１所定時間以上であれば、ステップＳ３１に進む。一方、ステップＳ２７で“ＮＯ”であれば、つまり入力カウンタ３３４の値が第１所定時間未満であれば、ステップＳ２９で動きが所定時間ないか否かを判断する。つまり第２所定時間（３０秒〜６０秒）の間、携帯端末１０が持ち運ばれていないか否かを判断する。また、具体的には、動作カウンタ３３６の値が第２所定時間（３０秒〜６０秒）以上であるか否かを判断する。ステップＳ２９で“ＮＯ”であれば、つまり動作カウンタ３３６の値が第２所定時間未満であれば、ステップＳ２１に戻る。一方、ステップＳ２９で“ＹＥＳ”であれば、つまり動作カウンタ３３６の値が第２所定時間以上であれば、ステップＳ３１でロック状態を設定し、自動ロック設定処理を終了する。つまり、ロック設定データ３２０に従って、携帯端末１０をロック状態にする。そして、ロックフラグ３３０をオンにする。また、ステップＳ２３−Ｓ２９の処理を実行するＣＰＵ２０は、特定状態検出手段として機能する。そして、ステップＳ３１の処理を実行するＣＰＵ２０は、ロック設定手段として機能する。
【００７０】
図１０は、ロック解除処理を示すフロー図である。使用者によってロック状態を解除する操作が行われると、ＣＰＵ２０は、ステップＳ４１でパスワード入力画面を表示する。つまり、図６（Ａ）に示すＧＵＩをＬＣＤモニタ２６に表示する。続いて、ステップＳ４３では、パスワードが入力されたか否かを判断する。つまり、キー入力装置２２によって、４桁の数字列が入力されたか否かを判断する。ステップＳ４３で“ＮＯ”であれば、つまりパスワードが入力されてなければステップＳ４３の処理を繰り返し実行する。一方、ステップＳ４３で“ＹＥＳ”であれば、つまりパスワードが入力されれば、ステップＳ４５でパスワードが正しいか否かを判断する。つまり、入力された４桁の数字列がパスワードデータ３２２と一致するか否かを判断する。
【００７１】
ステップＳ４５で“ＹＥＳ”であれば、つまり入力されたパスワードが正しければ、ステップＳ４７でロック状態を解除して、ロック解除処理を終了する。つまり、ステップＳ４７では、ロックフラグ３３０をオフにする。また、ステップＳ４７の処理を実行するＣＰＵ２０は、ロック解除手段として機能する。
【００７２】
一方、ステップＳ４５で“ＮＯ”であれば、つまり入力されたパスワードが正しくなければ、ステップＳ４９で入力失敗を通知する画像を表示する。たとえば、図６（Ｂ）に示すように、「パスワードが違います」の文字列を含む画像をＬＣＤモニタ２６に表示する。
【００７３】
なお、第１実施例では、太陽電池３６によって電力が供給され、閉状態のときのみロック状態が設定されるようにしてもよい。つまり、図９の自動ロック設定処理において、ステップＳ２３で“ＮＯ”であれば、ステップＳ２１に戻るようにし、ステップＳ２５−Ｓ２９の処理を実行しないようにする。また、太陽電池３６によって電力が供給され、待機状態のときのみロック状態が設定されるようにしてもよい。つまり、ステップＳ２１で“ＹＥＳ”であるときに、ステップＳ２３ではなく、ステップＳ２５の処理を実行する。そして、ステップＳ２５で“ＹＥＳ”であればステップＳ３１に進み、“ＮＯ”であればステップＳ２１に戻るようにする。
【００７４】
さらに、ステップＳ２１で“ＹＥＳ”であるときに、ステップＳ２７の処理を実行するようにすると、太陽電池３６によって電力が供給され、第１所定時間の間、キー入力装置２２に対するキー操作がされなければ、ロック状態が設定されるようになる。また、ステップＳ２１で“ＹＥＳ”であるときに、ステップＳ２９の処理を実行するようにすると、携帯端末１０が第２所定時間の間、持ち運ばれなければ、ロック状態が設定されるようになる。
【００７５】
また、ステップＳ２１で“ＹＥＳ”であるときに、ステップＳ２３およびステップＳ２５の処理を行わずに、ステップＳ２７，Ｓ２９，Ｓ３１の処理を実行するようにしても良い。つまり、太陽電池３６によって電力が供給されると、第１所定時間の間、キー入力装置２２に対するキー操作がされないか、携帯端末１０が第２所定時間の間、動かされないかを判断し、いずれかの状態になれば、ロック状態が設定される。さらに、ステップＳ２３およびステップＳ２５、ステップＳ２３およびステップＳ２７、ステップＳ２３およびステップＳ２９、ステップＳ２５およびステップＳ２７、ステップＳ２５およびステップＳ２９のいずれの組み合わせであってもよい。
【００７６】
また、ステップＳ２１で“ＹＥＳ”であるときに、ステップＳ２３の処理を実行せずに、ステップＳ２５，Ｓ２７，Ｓ２９の処理を実行するようにしてもよい。つまり、太陽電池３６によって電力が供給されたときに、閉状態であるか否かの判断だけが実行されないようになる。そして、実行されないステップは、このステップＳ２３ではなく、ステップＳ２５，Ｓ２７またはＳ２９のいずれであってもよい。
【００７７】
また、４つの特定状態においては、判断される順番に優先順位はなく、ステップＳ２３−Ｓ２９において、どのステップから実行されてもよい。限定的ではない一例として、ステップＳ２１で“ＹＥＳ”であるときに、ステップＳ２９の処理が実行され、ステップＳ２９で“ＮＯ”であればステップＳ２７の処理が実行され、ステップＳ２７で“ＮＯ”であれば、ステップＳ２５の処理が実行され、ステップＳ２５の処理で“ＮＯ”であれば、ステップＳ２３の処理が実行され、ステップＳ２３の処理で“ＮＯ”であれば、ステップＳ２１に戻るようにしてもよい。
【００７８】
また、太陽電池３６によって電力が供給され、閉状態および待機状態でなければ、ロック状態が設定されないようにしてもよい。また、この場合には、図９の自動ロック設定処理において、ステップＳ２３で“ＹＥＳ”と判断された後に、ステップＳ２５の判断を行い、ステップＳ２５でさらに“ＹＥＳ”と判断されなければ、ステップＳ３１の処理が実行されないようにすればよい。また、閉状態と待機状態との組み合わせだけに限らず、他の特定状態との組み合わせであってもよいし、２つ以上の特定状態を組み合わせてもよい。
＜第２実施例＞
第２実施例では、太陽電池３６が着脱可能であり、太陽電池３６が装着されると、ロック状態となる携帯端末１０について説明する。また、第２実施例では、図３に示す携帯端末１０の外観を示す図解図、図４に示すロック項目を変更するＧＵＩの表示例、図５に示すロック設定データ３２０の内容を示す図解図、図６（Ａ），（Ｂ）に示すロック状態を解除するためのパスワードの入力を受け付けるＧＵＩの表示例、図８に示す設定処理および図１０に示すロック解除処理については、第１実施例と同じであるため、重複した説明は省略する。
【００７９】
第２実施例では、携帯端末１０の構成は第１実施例と同じであるが、電源回路３２と太陽電池３６とが接続される点の構成が異なる。図１１は、第２実施例の電源回路３２と太陽電池３６との接続を示す図解図である。図１１を参照して、電源回路３２は＋端子、−端子および接続端子によってソケットＳＫａと接続されている。また、太陽電池３６は＋端子および−端子によってソケットＳＫｂと接続されている。そして、ソケットＳＫａとソケットＳＫｂとが接続されることで、電源回路３２と太陽電池３６とが電気的に接続される。また、ソケットＳＫａには、押圧スイッチＳＷ（図１２参照）が設けてあり、ソケットＳＫｂとの接続をＣＰＵ２０に通知する。具体的には、この押圧スイッチＳＷは、ソケットＳＫａとソケットＳＫｂとが接続されると、押圧されることでオン状態となる。そして、電源回路３２は、接続端子を介して、押圧スイッチＳＷがオン状態となったことを検出すると、ＣＰＵ２０に、太陽電池３６が装着（接続）されたことを通知する。そして、ＣＰＵ２０は、太陽電池３６が装着されると、ロック状態を設定する。また、ソケットＳｋｂが外されると、押圧スイッチＳＷはオフになる。なお、ソケットＳＫａはメス側のソケットであり、ソケットＳＫｂはオス側のソケットである。
【００８０】
図１２（Ａ），（Ｂ）は、第２実施例における、閉状態の携帯端末１０の外観を示す図解図である。図１２（Ａ）を参照して、ケースＣ１の外側面には、凹部Ｏｕが設けられ、凹部Ｏｕの長さ方向一方には、ソケットＳＫａが設けられる。ソケットＳＫａには、＋端子、押圧スイッチＳＷ、−端子の順番で設けられる。また、凹部Ｏｕに対応する大きさである太陽電池３６は、裏面の長さ方向一方で、ソケットＳＫａと対応する位置にソケットＳＫｂが設けられる。ソケットＳＫｂには、ソケットＳＫａと対応するように＋端子、凸部Ｔ、−端子の順番で設けられる。そして、ソケットＳＫｂに設けられた凸部Ｔによって、ソケットＳＫａに設けられた押圧スイッチＳＷが押下される。また、太陽電池３６がケースＣ１の凹部Ｏｕに嵌め込まれる（装着される）と、図２（Ｂ）示す携帯端末１０の外観図と同じようになる。
【００８１】
なお、端子Ｔａ，Ｔｂとヒンジ機構Ｈと軸ＡＸとケースＣ１，Ｃ２とについては、第１実施例と同じであるため、詳細な説明は簡単のために省略する。
【００８２】
図１２（Ｂ）は、太陽電池３６の代わりにカバーＣＶが嵌め込まれた（装着された）外観を示す図解図である。図１２（Ｂ）を参照して、太陽電池３６を装着しない場合には、ソケットＳＫａを周囲の埃などから保護するために、カバーＣＶが凹部Ｏｕに装着される。このカバーＣＶの裏面には、太陽電池３６と同じようにソケットＳＫｂが設けられているが、ソケットＳＫｂに凸部Ｔは設けられていない。つまり、カバーＣＶが装着されたとしても、押圧スイッチＳＷが押下されないため、ＣＰＵ２０は、太陽電池３６が装着された状態とは異なると、判断することができる。
【００８３】
図１３は、第２実施例におけるＲＡＭ３０のメモリマップを示す図解図である。図１３を参照して、第２実施例のＲＡＭ３０には、第１実施例と同様のプログラム、データ、フラグおよびカウンタが設けられているが、プログラム記憶領域３０２は、太陽電池装着検出プログラム３１６をさらに記憶する。そして、データ記憶領域３０４には、装着フラグ３３８がさらに記憶される。
【００８４】
太陽電池装着検出プログラム３１６は、太陽電池３６が装着されたときに、ロック状態を設定するためのプログラムである。装着フラグ３３８は、太陽電池３６の装着を検出するためのフラグである。つまり、押圧スイッチＳＷがオンになれば、装着フラグ３３８がオンとなる。
【００８５】
第２実施例におけるＣＰＵ２０は、μＩＴＲＯＮ，ＳｙｍｂｉａｎまたはＬｉｎｕｘなどのリアルタイムＯＳの制御下で、図８に示す設定処理、図１０に示すロック解除処理および図１４に示す太陽電池装着検出処理などを含む複数のタスクを並列的に実行する。
【００８６】
図１４は、太陽電池装着検出処理を示すフロー図である。太陽電池装着検出処理が実行されると、ＣＰＵ２０は、ステップＳ６１で太陽電池３６が装着されたか否かを判断する。つまり、装着フラグ３３８がオンであるか否かを判断する。ステップＳ６１で“ＮＯ”であれば、つまり装着フラグ３３８がオフであれば、ステップＳ６１の判断を繰り返し実行する。一方、ステップＳ６１で“ＹＥＳ”であれば、つまり装着フラグ３３８がオンであれば、ロック状態を設定し、太陽電池装着検出処理を終了する。つまり、ステップＳ６３では、第１実施例のステップＳ３１（図９参照）と同様に、携帯端末１０をロック状態とし、ロックフラグ３３０をオンにする。また、ステップＳ６１の処理を実行するＣＰＵ２０もロック設定手段として機能する。
【００８７】
なお、第２実施例では、太陽電池３６が装着された状態を、特定状態に含む。また、第２実施例のように太陽電池３６を装着可能な携帯端末１０であっても、第１実施例のように、太陽電池３６によって電力が供給され、閉状態または待機状態などが検出されなければ、ロック状態が設定されないようにしてもよい。
【００８８】
以上の説明から分かるように、携帯端末１０は、太陽電池３６とリチウムイオン電池３４とを備える。ＣＰＵ２０は、太陽電池３６の発電を検出し、さらに閉状態などの特定状態にされていることを検出すると、キー入力装置２２による操作を無効化するロック状態を設定する。
【００８９】
これによって、使用者が閉状態や待機状態などで太陽電池３６によって充電すると、携帯端末１０がロック状態に設定されるため、充電中のセキュリティ性が向上する。
【００９０】
なお、本実施例では、キー入力装置２２によって携帯端末１０を操作していたが、キー入力装置２２に代えて、タッチパネルによって携帯端末１０操作するようにしてもよい。そして、この場合のロック状態では、タッチパネルによる操作が無効化される。
【００９１】
また、ロック状態で無効化される機能は、アドレス帳機能などに限らず、他の機能も無効化されるようにしてもよい。また、特定状態には、所定値を超える発電量（たとえば、６００ｍＷｈ）が検出された状態を含めてもよい。
【００９２】
また、太陽電池３６によって電力が供給され、特定状態が検出されてもロック状態が設定されないように、携帯端末１０の設定を変更できるようにしてもよい。
【００９３】
また、開状態と閉状態とは、第１実施例および第２実施例で示した２つ折り型の携帯端末１０だけに限らず、横開き型、リボルバー型およびスライド型などの携帯端末１０の開状態と閉状態とを含む。
【００９４】
また、携帯端末１０の通信方式には、ＣＤＭＡ方式だけに限らず、Ｗ‐ＣＤＭＡ方式、ＴＤＭＡ方式およびＰＨＳ方式などを採用してもよい。また、携帯端末１０のみに限らず、携帯型ゲーム機、携帯型音楽プレイヤ、ノート型ＰＣおよびＰＤＡ（Ｐｅｒｓｏｎａｌ  Ｄｅｇｉｔａｌ  Ａｓｓｉｓｔａｎｔ）などであってもよい。
【００９５】
さらに、二次電池としてリチウムイオン電池３４を採用したが、鉛蓄電池、ニッケル水素電池、ナトリウムイオン電池、金属空気電池および亜鉛臭素電池などであってもよい。
【図面の簡単な説明】
【００９６】
【図１】図１は本発明の第１施例の携帯端末を示すブロック図である。
【図２】図２は図１に示す携帯端末の外観を示す図解図である。
【図３】図３は図１に示す携帯端末の他の外観を示す図解図である。
【図４】図４は図１に示すＬＣＤモニタに表示されるＧＵＩの一表示例を示す図解図である。
【図５】図５は図１に示すＲＡＭに記憶されるロック設定データの詳細な構成を示す図解図である。
【図６】図６は図１に示すＬＣＤモニタに表示されるＧＵＩの他の一表示例を示す図解図である。
【図７】図７は図１に示すＲＡＭのメモリマップの一例を示す図解図である。
【図８】図８は図１に示すＣＰＵの設定処理を示すフロー図である。
【図９】図９は図１に示すＣＰＵの自動ロック設定処理を示すフロー図である。
【図１０】図１０は図１に示すＣＰＵのロック解除処理を示すフロー図である。
【図１１】図１１は第２実施例における電源回路と太陽電池の接続状態を示すブロック図である。
【図１２】図１２は第２実施例における携帯端末の外観を示す図解図である。
【図１３】図１３は図１に示すＲＡＭの第２実施例におけるメモリマップの一例を示す図解図である。
【図１４】図１４は図１に示すＣＰＵの第２実施例における太陽電池装着検出処理を示すフロー図である。
【００９７】
１０    …  携帯端末
２０    …  ＣＰＵ
２２    …  キー入力装置
２６    …  ＲＡＭ
３２    …  電源回路
３４    …  リチウムイオン電池
３６    …  太陽電池
３８    …  磁気センサ
４０    …  磁石
４２    …  加速度センサ
【図１】
2010130055.tif 000003
【図２】
2010130055.tif 000004
【図３】
2010130055.tif 000005
【図４】
2010130055.tif 000006
【図５】
2010130055.tif 000007
【図６】
2010130055.tif 000008
【図７】
2010130055.tif 000009
【図８】
2010130055.tif 000010
【図９】
2010130055.tif 000011
【図１０】
2010130055.tif 000012
【図１１】
2010130055.tif 000013
【図１２】
2010130055.tif 000014
【図１３】
2010130055.tif 000015
【図１４】
2010130055.tif 000016
【手続補正書】
【提出日】平成20年11月26日(2008.11.26)
【手続補正１】
【補正対象書類名】特許請求の範囲
【補正対象項目名】請求項１
【補正方法】変更
【補正の内容】
【請求項１】
太陽電池、
前記太陽電池による発電を検出する検出手段、
特定状態を検出する特定状態検出手段、および
前記検出手段によって前記太陽電池による発電が検出され、さらに前記特定状態検出手段によって特定状態が検出されたときに、ロック状態を設定するロック設定手段を備える、携帯端末。
【手続補正２】
【補正対象書類名】特許請求の範囲
【補正対象項目名】請求項７
【補正方法】変更
【補正の内容】
【請求項７】
太陽電池を備える携帯端末のプロセサを、
前記太陽電池による発電を検出する検出手段、
特定の状態を検出する特定状態検出手段、および
前記検出手段によって前記太陽電池による発電が検出され、さらに前記特定状態検出手段によって特定状態が検出されたときに、ロック状態を設定するロック設定手段として機能させる、携帯端末プログラム。